(57)【要約】【課題】ＢＤカメラにおいてフェード機能や分撮り機能等の特殊再生機能を実現し、それらの管理情報を効率的に管理する。【解決手段】Ｒｏｏｔディレクトリの下にＢＤＭＶディレクトリを配置し、更にその下にＰＬＡＹＬＩＳＴ，ＣＬＩＰＩＮＦＯ，ＳＴＲＥＡＭの各ディレクトリを配置するように定義されたＢＤＭＳ subset（ＢＤＭＶ−ｓ）規格に基づくフォーマットに従ってファイルを作成する。更に、取得する映像のシーンの区切り毎に１つのＰｌａｙＩｔｅｍを生成し、１つのＰｌａｙＬｉｓｔ中に複数のＰｌａｙＩｔｅｍを配置し、ＰｌａｙＩｔｅｍ内の未使用領域に特殊再生機能を管理するための管理情報を保持する。【選択図】図１
2008028440.tif 000002
【特許請求の範囲】
【請求項１】
映像を所定のファイル形式で記録媒体に記録する映像記録方法において、
該映像を記録する所定の記録単位に対応して、特殊再生機能を管理するための管理情報を設定し、該管理情報をメモリに格納すると共に、該映像を記録媒体に記録することを特徴とする映像記録方法。
【請求項２】
前記特殊再生機能としてフェード機能を含み、サムネール画面を表示部に表示する時、該フェード機能の設定状況も併せて表示することを特徴とする請求項１の映像記録方法。
【請求項３】
該記録単位の映像の情報をメモリ上に展開すると同時に、該管理情報を該メモリ上に展開することを特徴とする請求項１又は２の映像記録方法。
【請求項４】
映像をシーン毎に該記録媒体に記録し、かつ前記管理情報をシーン毎に設定し、シーン毎にメモリに展開すると同時に該管理情報を該メモリに展開することを特徴とする請求項１乃至３のいずれかの映像記録方法。
【請求項５】
取得する映像のシーンの区切り毎に１つのＰｌａｙＩｔｅｍを生成し、かつ１つのＰｌａｙＬｉｓｔ中に複数のＰｌａｙＩｔｅｍを配置し、該ＰｌａｙＩｔｅｍ内の未使用領域に、該管理情報を設定してメモリに記憶することを特徴とする請求項１乃至４のいずれかの映像記録方法。
【請求項６】
前記該ＰｌａｙＩｔｅｍ内の未使用領域として、Reserved for useの１１ビットの内の複数のビットを利用して該管理情報を設定することを特徴とする請求項５の映像記録方法。
【請求項７】
請求項１乃至６のいずれかの方法によって映像が記録された該記録媒体から映像を再生する時、該管理情報を参照して該特殊再生機能に基づいて該映像の再生を行うことを特徴とする映像再生方法。
【請求項８】
映像を所定のファイル形式で記録媒体に記録する映像記録方法において、Ｒｏｏｔディレクトリの下にＢＤＭＶディレクトリを配置し、更にその下にＰＬＡＹＬＩＳＴ，ＣＬＩＰＩＮＦＯ，ＳＴＲＥＡＭの各ディレクトリを配置するように定義されたＢＤＭＳ subset（ＢＤＭＶ−ｓ）規格に基づくフォーマットに従ってファイルを作成し、かつ取得する映像のシーンの区切り毎に１つのＰｌａｙＩｔｅｍを生成し、１つのＰｌａｙＬｉｓｔ中に複数のＰｌａｙＩｔｅｍを配置し、更にＰｌａｙＩｔｅｍ内の未使用領域に特殊再生機能を管理するための管理情報を保持し、該フォーマットに従って該映像を記録媒体に記録することを特徴とする映像記録方法。
【請求項９】
１回のシーンの映像を記録媒体に記録する度に、前記ＰｌａｙＬｉｓｔを更新せず、ＰｌａｙＩｔｅｍを１つずつ増やして生成することを特徴とする請求項８の映像記録方法。
【請求項１０】
日付けが更新される度に、新にＰｌａｙＬｉｓｔを生成して更新することを特徴とする請求項８又は９の映像記録方法。
【請求項１１】
１回の映像の記録で、ｍｐｌｓファイルと、ｃｌｐｉファイルと、ｍ２ｔｓファイルを１つのセットとして管理し、該ｍｐｌｓファイルのＰｌａｙＩｔｅｍに映像を記録する開始及び終了の場所を管理する情報を記憶することを特徴とする請求項８乃至１０のいずれかの映像記録方法。
【請求項１２】
映像をファイル形式で記録媒体に記録する映像記録装置において、
特殊再生機能を設定するために操作される操作部と、該操作部によって指定された、所定の記録単位の該映像に特殊再生機能を設定する特殊再生機能制御部と、該映像を記録する所定の記録単位に対応して、設定された該特殊再生機能を管理するための管理情報を記憶するメモリと、を有すること特徴とする映像記録装置。
【請求項１３】
前記特殊再生機能としてフェード機能を含み、生成されたサムネール画面に該フェード機能の設定状況も含めて表示する表示部を有することを特徴とする請求項１２の映像記録装置。
【請求項１４】
該記録単位の映像の情報をメモリ上に展開すると同時に該管理情報も併せて展開することを特徴とする請求項１２又は１３の映像記録装置。
【請求項１５】
取得する映像のシーンの区切り毎に１つのＰｌａｙＩｔｅｍを生成し、かつ１つのＰｌａｙＬｉｓｔ中に複数のＰｌａｙＩｔｅｍを配置し、該ＰｌａｙＩｔｅｍ内の未使用領域に、該管理情報を設定して該メモリに記憶することを特徴とする請求項１２乃至１４のいずれかの映像記録装置。
【請求項１６】
映像を所定のファイル形式で記録する記録媒体において、
Ｒｏｏｔディレクトリの下にＢＤＭＶディレクトリを配置し、更にその下にＰＬＡＹＬＩＳＴ，ＣＬＩＰＩＮＦＯ，ＳＴＲＥＡＭの各ディレクトリを配置するように定義されたＢＤＭＳ subset（ＢＤＭＶ−ｓ）規格に基づくフォーマットに従ってファイルを作成し、かつ取得する映像のシーンの区切り毎に１つのＰｌａｙＩｔｅｍを生成し、１つのＰｌａｙＬｉｓｔ中に複数のＰｌａｙＩｔｅｍを配置し、ＰｌａｙＩｔｅｍ内の未使用領域に保持される、特殊再生機能を設定するための管理情報に従って管理された該映像を所定のフォーマットに従って記録する映像用記録媒体。
【発明の詳細な説明】
【技術分野】
【０００１】
本発明は、映像記録装置に係り、更に詳しく言えば映像情報を記録するデジタルカメラにおけるフェード機能等の特殊再生機能の情報の管理に関する。
【背景技術】
【０００２】
記録媒体としてＤＶＤを利用したビデオカメラでフェード機能が実現されている。このフェード機能とは、映像のつなぎを制御する再生機能であり、映像を徐々に表示するフェードイン機能、逆に映像を徐々に消失されるフェードアウト機能である。映像を徐々に表示する仕方としては、水平方向や鉛直方向から映像を切り出すワイプイン、無地（例えば白や黒）の画面から徐々に画素密度を上げて映像を表示するディゾルブインなどのパターンがある。また映像を徐々に消失させる仕方としては、水平方向や鉛直方向に映像をクローズさせるワイプアウト、徐々に画素密度を下げて画面を無地（例えば白や黒）にするディゾルブアウトなどのパターンがある。なお、ビデオカメラにフェードイン機能の制御については、例えば、特開平１１−１１２８６８公報（特許文献１）に開示されている技術が知られている。
【０００３】
また、デジタルカメラにおけるディレクトリの管理として、例えば、特開２００４−３０４６１９公報（特許文献２）に開示された技術が知られている。この技術は、デジタル映像データをメモリカードに記憶して管理する場合、映像データを格納するフォルダをメモリカード内に新規に作成し、フォルダを表すアイコンを用いて映像データを管理するものである。
【０００４】
ところで、ＤＶＤの次世代を担う光ディスクの規格の１つとしてブルーレイディスク（ＢＤ）の規格が制定されている。このＤＢ規格に基づくＢＤドライブとして、ＢＤ−ＲＯＭやＢＤ−Ｒが実用化されている。また、ＤＶＤディスクを用いて高精細なデジタルハイデフィニッション（ＨＤ）映像の記録再生を可能にしたデジタルビデオカメラの規格としてＡＶＣＨＤが制定されている。
【０００５】
両者の規格を採用したＡＶＣＨＤ／ＢＤビデオカメラは、ＢＤ−ＲＥＶｅｒ３．０規格に基づくアプリケーションのフォーマットに従った形式で、撮影した映像情報をファイルとして記録媒体に記録する。この規格は、ＢＤ−ＲＯＭの規格を基本にしたＢＤＭＶフォーマットのサブセット（ＢＤＭＳ subset 以下、ＢＤＭＶ−ｓという）であり、レコーダやカメラのセルフエンコード時の規定したフォーマットであり、１回の記録単位をＰｌａｙＬｉｓｔ（プレイリスト）で管理している。
【０００６】
【特許文献１】特開平１１−１１２８６８公報
【特許文献２】特開２００４−３０４６１９公報
【発明の開示】
【発明が解決しようとする課題】
【０００７】
ＢＤカメラの実用化に伴い、従来、ＤＶＤカメラで実現していたフェード機能をＢＤカメラでも実現したい、と言う要求が生じている。デジタルカメラでは、映像を撮影した後に好きなシーンに対してフェードの設定を行えるという特徴があるが、ＤＶＤカメラで実現されていた機能をそのままＢＤカメラで実現しようとしても、両者は管理情報の機構が全く異なるために、直ちには実現できない。例えば、フェード機能はサムネール毎に管理する必要があるが、ＢＤカメラにおいて、シーン毎にフェードの情報を何処にどのように格納して管理するか等について課題が生じる。
【０００８】
また、ディレクトリの管理手法として、最近のビデオレコーダでは分け撮り機能が実現されている。この分け撮り機能とは、放送されてくる映像をデータ放送の情報でその格納位置、ディレクトリを振り分ける機能である。カメラを使用する機会が比較的多い、旅行や運動会等のカテゴリ別にディレクトリを分けて管理することは便利であると思われるが、デジタルカメラの分野ではこの分け撮り機能は未だ実現されていない。
【０００９】
たとえ、ＢＤカメラでこれらの特殊再生機能を単に実現したとしたも、これらの機能の管理情報を効率的に管理することに工夫を要する。何故なら、ＢＤカメラではその起動時に管理情報を内部のメモリに展開する必要があるが、管理情報が不規則な場所とか規格に反した場所に保管されていると、メモリの使用効率が低下するだけではなくて、映像ファイルやその管理情報の展開のために時間がかかることになるからである。
【００１０】
そこで本発明の目的は、フェード機能や分撮り機能等の特殊再生機能を実現したＢＤカメラ、映像記録装置及びその方法、及びそれに使用される所定のフォーマット化された記録媒体を提供することにある。
本発明は、メモリを効率的に使用して特殊再生機能の管理情報を管理することにある。
本発明はまた、記録する映像のシーンの数が増えてもそれらの管理情報をメモリに展開するための時間が長くかかるのを防ぐことにある。
【課題を解決するための手段】
【００１１】
本発明に係る映像記録方法は、好ましくは、映像を所定のファイル形式で記録媒体に記録する映像記録方法において、映像を記録する所定の記録単位に対応して、特殊再生機能を管理するための管理情報を設定し、管理情報をメモリに格納すると共に、映像を記録媒体に記録する記録方法として構成される。
また、好ましい例では、前記特殊再生機能としてフェード機能を含み、サムネール画面を表示部に表示する時、フェード機能の設定状況も併せて表示する。
また、好ましくは、記録単位の映像の情報をメモリ上に展開すると同時に、管理情報をメモリ上に展開する。
また、好ましくは、映像をシーン毎に記録媒体に記録し、かつ前記管理情報をシーン毎に設定し、シーン毎にメモリに展開すると同時に管理情報をメモリに展開する。
また、好ましくは、取得する映像のシーンの区切り毎に１つのＰｌａｙＩｔｅｍを生成し、かつ１つのＰｌａｙＬｉｓｔ中に複数のＰｌａｙＩｔｅｍを配置し、ＰｌａｙＩｔｅｍ内の未使用領域に、管理情報を設定してメモリに記憶する。
また、好ましくは、前記ＰｌａｙＩｔｅｍ内の未使用領域として、Reserved for useの１１ビットの内の複数のビットを利用して管理情報を設定する。
また、好ましくは、上記の方法によって記録された記録媒体から映像を再生する時、管理情報を参照して特殊再生機能に基づいて映像の再生を行う。
【００１２】
また、好ましい例では、映像を所定のファイル形式で記録媒体に記録する映像記録方法において、Ｒｏｏｔディレクトリの下にＢＤＭＶディレクトリを配置し、更にその下にＰＬＡＹＬＩＳＴ，ＣＬＩＰＩＮＦＯ，ＳＴＲＥＡＭの各ディレクトリを配置するように定義されたＢＤＭＳ subset（ＢＤＭＶ−ｓ）規格に基づくフォーマットに従ってファイルを作成し、かつ取得する映像のシーンの区切り毎に１つのＰｌａｙＩｔｅｍを生成し、１つのＰｌａｙＬｉｓｔ中に複数のＰｌａｙＩｔｅｍを配置し、更にＰｌａｙＩｔｅｍ内の未使用領域に特殊再生機能を管理するための管理情報を保持し、フォーマットに従って映像を記録媒体に記録する映像記録方法として構成される。
好ましくは、１回のシーンの映像を記録媒体に記録する度に、前記ＰｌａｙＬｉｓｔを更新せず、ＰｌａｙＩｔｅｍを１つずつ増やして生成する。
また、好ましくは、日付けが更新される度に、新にＰｌａｙＬｉｓｔを生成して更新する。
また、好ましくは、１回の映像の記録で、ｍｐｌｓファイルと、ｃｌｐｉファイルと、ｍ２ｔｓファイルを１つのセットとして管理し、ｍｐｌｓファイルをＰｌａｙＩｔｅｍに対応付け、ＰｌａｙＩｔｅｍに映像を記録する開始及び終了の場所を管理する情報を記憶する。
【００１３】
本発明に係る映像記録装置は、好ましくは、映像をファイル形式で記録媒体に記録する映像記録装置において、特殊再生機能を設定するために操作される操作部と、操作部によって指定された、所定の記録単位の映像に特殊再生機能を設定する特殊再生機能制御部と、映像を記録する所定の記録単位に対応して、設定された特殊再生機能を管理するための管理情報を記憶するメモリと、を有する映像記録装置として構成される。
【００１４】
また、本発明は、映像を所定のファイル形式で記録する記録媒体において、Ｒｏｏｔディレクトリの下にＢＤＭＶディレクトリを配置し、更にその下にＰＬＡＹＬＩＳＴ，ＣＬＩＰＩＮＦＯ，ＳＴＲＥＡＭの各ディレクトリを配置するように定義されたＢＤＭＳ subset（ＢＤＭＶ−ｓ）規格に基づくフォーマットに従ってファイルを作成し、かつ取得する映像のシーンの区切り毎に１つのＰｌａｙＩｔｅｍを生成し、１つのＰｌａｙＬｉｓｔ中に複数のＰｌａｙＩｔｅｍを配置し、ＰｌａｙＩｔｅｍ内の未使用領域に保持される、特殊再生機能を設定するための管理情報に従って管理された映像を所定のフォーマットに従って記録する映像用記録媒体としても構成され得る。
【発明の効果】
【００１５】
本発明によれば、ＢＤカメラにおいてフェード機能や分撮り機能等の特殊再生機能を実現でき、それらの管理情報を効率的に管理することができる。また、メモリを効率的に使用して管理情報を管理することができ、記録する映像のシーンの数が増えても、その都度ＰｌａｙＬｉｓｔを展開する必要がないので、映像ファイルやその管理情報の展開のために余り長い時間を要しない。
【発明を実施するための最良の形態】
【００１６】
以下、図面を参照して本発明の実施形態について説明する。
まず、図１を参照して、本実施例に係るＢＤカメラに採用される規格、ＢＤ−ＲＥ  Ｖｅｒ３．０について説明する。
図１は、ＢＤＭＶフォーマットのサブセット（ＢＤＭＶ−ｓ）のデータ構造を示す図である。これは、規格ＢＤ−ＲＥ  Ｖｅｒ３．０で規定されたアプリケーションのフォーマットであり、ＢＤ−ＲＯＭの規格を基本としている。レコーダやカメラのセルフエンコード時の記録を想定したフォーマットとして、１回の記録単位をＰｌａｙＬｉｓｔで管理する。即ち、Ｒｏｏｔディレクトリの下には、ＢＤＭＶディレクトリが配置され、その下にＰＬＡＹＬＩＳＴ，ＣＬＩＰＩＮＦＯ，ＳＴＲＥＡＭの各ディレクトリが配置される。１回毎の記録によって、ＰＬＡＹＬＩＳＴ，ＣＬＩＰＩＮＦＯ，ＳＴＲＥＡＭの各ディレクトリがセット（組）として記録される。例えば、１回目の記録で、00000.ｍｐｌｓファイルと、01000.ｃｌｐｉファイルと、01000.ｍ２ｔｓファイルが記録され、２回目の記録では、00001.ｍｐｌｓファイルと、02000.ｃｌｐｉファイルと、02000.ｍ２ｔｓファイルが記録される、が如く、記録の度にファイルが順次増加する。デジタルカメラの一般的な製品ではシーンの最大値を１０００としている。そのため上記ファイルのセット数の上限は１０００程度が望ましい。なお、拡張子がmpls,clpi,m2tsのものもmplsファイルと呼ぶことがある。
【００１７】
ところで、レコーダでは記録する回数が余り多くないので、一般的には問題にならない。しかし、カメラはレコーダと異なり、短いシーンを多く撮影することが多い。ＢＤカメラでは、映像を１回記録する度に、ｍｐｌｓファイルと、ｃｌｐｉファイルと、ｍ２ｔｓファイルを１つのセットとして管理情報に追加して記憶する。つまり、映像を記録する度にファイルの数が増加することになる。また、ＢＤカメラを起動する時には、ｍｐｌｓファイルをメモリに展開する必要がある。そのため、記録される映像の回数が増えると、このファイル展開の時間が長くかかり、起動時間も長くなって問題となる。
【００１８】
そこで、本実施例では、起動時間を短縮するために、映像のファイル数をできるだけ少なくするように考慮した。すなわち、特徴の１つとして、１つのＰｌａｙＬｉｓｔ中に、複数のＰｌａｙＩｔｅｍを規定して管理するようにした。ＰｌａｙＩｔｅｍは、記録する映像の開始と終了の場所を管理するｍｐｌｓファイルの情報を管理するものであり、これらの管理情報は１シーンの映像に対応する。本実施例のＢＤカメラの場合、実情に鑑み、最大２０００個のＰｌａｙＬｉｓｔ、及び１つのＰｌａｙＬｉｓｔ当り最大９９９個のＰｌａｙＩｔｅｍを収容するようにフォーマットを形成するのが好ましい。
【００１９】
更に、特徴の１つとして、１つのＰｌａｙＩｔｅｍ内の未使用領域に、フェード機能や分け撮り機能等（以下、特殊再生機能という）の管理情報を格納することで、メモリの効率化を図った。
また、特徴の１つとして、ＰｌａｙＩｔｅｍ内の未使用領域に保管された特殊再生機能の管理情報をメモリに展開するための処理を、対応する各シーン（ＰｌａｙＩｔｅｍ）の展開と同時に行うようにした。これによって、ＢＤカメラの起動時にｍｐｌｓファイルやその管理情報を展開する処理を高速化することができる。
【００２０】
図３にＰｌａｙＬｉｓｔの構成例を示す。
この例は、複数のＰｌａｙＬｉｓｔ＃１、＃２と、それらのＰｌａｙＬｉｓｔ内に複数のＰｌａｙＩｔｅｍが形成して管理されていることを示している。
ＰｌａｙＬｉｓｔは、例えば日付が変わって撮影する日に、新たに１つ生成して管理情報として追加するのが好ましい。日付け情報は、システム制御部１２０（図１）の時計機構が計数する日時情報を引用する。つまり、新たに生成されたＰｌａｙＬｉｓｔには、同じ日に撮影された映像のシーンが１つ増える度に、ＰｌａｙＩｔｅｍが追加されていく。つまり、１回毎の映像のシーンの記録で、ｍｐｌｓファイルに対応するＰｌａｙＩｔｅｍと、ｃｌｐｉファイルと、ｍ２ｔｓファイルが１セットとして生成されて管理される。図示の例では、ＰｌａｙＬｉｓｔ＃１は１日目、例えば２００６年７月７日であり、ＰｌａｙＬｉｓｔ＃２は、日付が変わった別の日である。
【００２１】
ＰｌａｙＩｔｅｍは、１シーンの映像に対応しており、記録される映像の開始と終了の場所を管理するｍｐｌｓファイルの情報を記憶する。つまり、１回のシーンの映像を記録媒体に記録する度に、そのシーンに対応する開始（ＳＴ）２１及び終了（ＳＰ）２２、並びに特殊再生機能の管理情報２３が生成され、メモリに保管されて映像ファイルを管理する。
【００２２】
開始２１及び終了２２は、ｍｐｌｓファイルの情報であり、ＢＤＭＶ−ｓ規格によれば２５バイトの範囲を用いて管理される。開始及び終了の情報としては、映像が記録される光ディスク上のアドレスを用いてもよいが、時計機構が計数する日時情報をタイムスタンプとして記憶し、これによって映像の格納場所を管理してもよい。
【００２３】
特殊再生機能の管理情報２３は、ＰｌａｙＩｔｅｍ内の未使用領域、例えばリザーブ領域（Reserved for use）の１１ビットを利用する。例えば、図５に示すように、１１ビットの内、下位の２ビット（Ｘ部）で、フェード機能の有無を管理し、次の２ビット（Ｙ部）で分け撮り機能を管理する。残りのビットは他の管理のために供される。
フェード機能Ｘの２ビットについて言うと、最下位の１ビット目がフェードイン機能の有無、２ビット目がフェードアウト機能の有無を示す。従って、フェード管理情報が「１１」の場合、フェードイン及びフェードアウトが有り、「０１」の場合、フェードイン有、フェードアウト無を示す。「０１」の場合フェードイン無、フェードアウト有を示し、「００」の場合は両者の機能が無いことを示す。
【００２４】
また、分け撮り機能Ｙに関する２ビットによって、４種類のカテゴリに分類できる。例えばＹ部の２ビットを、「１１」旅行、「１０」子供の学校行事、「０１」ピアノ教室、「００」家族、等に対応付けることで、各ＰｌａｙＩｔｅｍを４種類のディレクトリに分類することができる。
なお、このＹ部のビットを更に増やして、分類されるディレクトリの数を増加させることができる。逆に、分け撮り機能が不要な場合には、このＹ部のビットを設けない、或いは「００」の状態を分け撮り無しに定義することも可能である。
【００２５】
ここで、図４を参照して、ＢＤカメラのサムネール画面の例について説明しておく。画面に表示されたサムネールは全部で１２個あり、アイコン７１がフェードイン、７２がフェードアウトを示す。利用者は操作部１１９を操作して、フェードをかけたいシーンの映像に対してフェードイン７１又はフェードアウト７２の設定を行う。図示の例では、４番目のシーンにフェードイン７１及びフェードアウト７２が設定され、８番目のシーンにはフェードイン７１のみが設定されている。
【００２６】
図３に戻り、具体的に説明する。
（１）に示すＰｌａｙＬｉｓｔ＃１のＰｌａｙＩｔｅｍに関するフェード機能の管理情報２３の設定は、図４のサムネール画面のフェード機能表示と対応している。従って、４番目のシーンのフェード機能Ｘの管理情報２３は、フェードイン及びアウトがあるので、「００・・００１１」である。また、８番目のシーンのフェード機能Ｘの管理情報２３は、フェードイン有、アウト無なので、「００・・０００１」である。その他のシーンのフェード機能Ｘの管理情報２３はいずれも全て無いので「００・・０００」である。
なお、管理情報２３の内、Ｙ部は全て「００」なので、この例の映像は全て「家族」のディレクトリに管理されることになる。
また（２）に示すように、ＰｌａｙＬｉｓｔ＃２のＰｌａｙＩｔｅｍに関するフェード機能の管理情報２３は、別の日の映像であり、分け撮り機能Ｙは「１１」なので「旅行」、フェード機能Ｘは「１１」なので、フェードイン及びアウト共に設定「有」である。
【００２７】
このように、図２及び図３の説明に従って規定され、及び管理フォーマットに従って設定された、管理ファイル及び管理情報２３は、後述するように、図１のフォーマット制御部１１７で、映像の記録時にその都度生成されて管理メモリ１１８に記憶して管理される。また映像の再生時には、メモリ１１８に記憶されたこの管理情報が表示される。
【００２８】
次に、図１を参照して、ＢＤカメラの構成について説明する。
図１において、１０１は被写体の像を結像するための光学レンズ、１０２は結像した光を電気信号に変換するための光電変換手段であるＣＣＤセンサ、１０３は映像の電気信号をデジタル信号に変換するＡ／Ｄ変換器、１０４はデジタル信号に変換された映像情報を映像信号に変換するための処理を行う信号処理部、１０５は映像信号をＭＰＥＧのような所定の符号化方式に従って圧縮及び伸張処理する映像圧縮伸張部である。１３０は操作部１１９からの指定によって記録媒体１１４に記録された映像に対してフェードイン又はフェードアウトのフェード機能をアイコンによって設定する映像フェード制御部である。
【００２９】
また、１０６は集音した音声を電気的な音声信号に変換するマイク、１０７は音声を発生するスピーカ、１０８は音声信号を増幅するアンプ、１０９は音声の電気信号をデジタル信号に変換するＡ／Ｄ変換器（Ｄ／Ａ変換器）、１１０は、デジタル音声を、ＪＰＥＧのような所定の符号化方式に従って圧縮及び伸張処理する音声圧縮伸張部、１４０は操作部１１９からの指定によって記録媒体１１４に記録された映像に対してフェードイン又はフェードアウトのフェード機能を音声によって設定する音声フェード制御部である。
【００３０】
１１１は映像圧縮伸張部１０５で生成された映像圧縮ストリーム、及び音声圧縮伸張部１１０で生成された音声圧縮ストリームとを多重化する多重化部である。１１２は、映像圧縮伸張部１０５が圧縮処理した映像データ、及び音声圧縮伸張部１１０により圧縮処理された音声データ、及びこれらの多重化されたデータを一時的に記憶する大容量のメモリである。また、ＡＴＡＰＩ／ＡＴＡ部１１３は特定の規格に従ったインターフェース部、１１４は光ディスク等の記録媒体である。媒体Ｒ／Ｗ制御部１１５は、記録媒体１１４に記録再生するための映像のデータファイルを、所定のファイル形式で記録再生するための制御を行う。
【００３１】
１１６は、映像を表示する表示部である。尚、この表示部１１６はファインダ内の表示部と、ビデオカメラの筐体の外側に設けられた可動式の表示部とに分けてもよい。１１７は記録媒体の種類を識別してＢＤＭＶ−ｓ規格に準拠したフォーマットの情報を生成するフォーマット制御部、１１８は記録媒体に記録するデータファイルの記録形式や記録再生のための管理情報を記憶する管理メモリである。１１９は、ユーザが操作する操作部であり、録画／停止キーやズームキー、記録モードの選択キー、及びフェード機能の指定などを行う。
１２０はシステム制御部であり、多重／分離部１１１やフォーマット制御部１１７、媒体記録再生制御部１１５等の各部を統括して制御する。なお、システム制御部１２０は年月日時分（単に日時という）を計時する時計機構を有する。時計機構で計時される日時は多重化の際にストリームに記録され、更に記録媒体１１４に記録される。
【００３２】
ここで、映像圧縮伸張部１０５、音声圧縮伸張部１１０、多重／分離部１１１、フォーマット制御部１１７、映像フェード制御部１３０、音声フェード制御部１４０及びシステム制御部１２０の各機能は、好ましくはマイクロプログラムがマイクロプロセッサで実行されることにより実現されるが、それらの一部又は全部がハードウェアで構成されてもよい。また、図１では制御線や情報線は説明上必要と考えられるものを示しており、製品上必ずしも全ての制御線や情報線を示しているとは限らない。実際には殆ど全ての構成ユニットが相互に接続されていると考えてよい。
【００３３】
次に、映像の記録について説明する。
操作部１１９の操作に従って映像撮影モードが選択された場合、システム制御部１２０はその選択を認識してシステム全体が以下のように制御する。ＣＣＤセンサ１０２は駆動部（図示せず）により映像信号発生モードに駆動される。そして、光学レンズ１０１によって結像された像は、ＣＣＤセンサ１０２で電気信号に変換され、Ａ／Ｄ変換器１０３でデジタル信号に変換された後、信号処理部１０４で映像データに変換処理されて、メモリ１１２に一時記憶される。その後、映像データは映像圧縮伸張部１０５で圧縮処理されるが、この圧縮処理はメモリ１１２と映像圧縮伸張部１０５との間で圧縮行程中の映像データをやりとりしながら、順次映像圧縮ストリームに変換処理する。一方、マイク１１０で集音された音声は、音声圧縮伸張部１１０で圧縮処理され、同様にしてメモリ１１２に一時記憶される。その後、メモリ１１２に記憶されている、映像圧縮伸張部１０５で生成された映像圧縮ストリームと音声圧縮伸張部１１０で生成された音声圧縮ストリームは多重／分離部１１１で多重化処理され、その多重処理データはメモリ１１２に一時記憶される。最終的に、多重処理データはメモリ１１２から出力され、媒体Ｒ／Ｗ制御部１１５及びＡＴＡＰＩ／ＡＴＡ部１１３を介して、所定の記録フォーマットで記録媒体１１４に記録される。
記録フォーマットは、本実施例に特徴的であり、図２及び３を参照して後述するように、フォーマット制御部１１７は、予め決められた所定のフォーマットで管理し、撮影された映像は、その映像のシーン毎に記録媒体に記録される。
【００３４】
次に、映像の再生動作について説明する。
記録媒体１１４には、図２及び図３に示すファイル形式で映像が記録されている。操作部１１９によって映像再生モードが選択されると、システム制御部１２０によりシステム全体が以下のように制御され、ファイル制御部１１７で管理された形式で、シーン毎の映像が記録媒体１１４から読み出されて再生される。
即ち、媒体Ｒ／Ｗ制御部１１５は、映像ファイルを再生し、多重／分離部１１１で映像圧縮ストリームと音声圧縮ストリームに分離し、映像圧縮ストリームを映像圧縮伸長部１０５に送る。映像圧縮伸張部１０５はメモリ１１２との間で伸長工程中の映像データをやりとりしながら順次映像信号に変換処理し、信号処理部１０４を介して表示部１１６に出力する。音声圧縮ストリームは音声圧縮伸長部１１０で伸長処理して、スピーカ１０７から出力する。
【００３５】
次に、フェード機能の設定について説明する。
撮影された映像情報は既に記録媒体１１４に記録されている。そこで、操作者は操作部１１９を操作してサムネール画面を表示部１１６に表示する。そこで、映像のシーンを指定し、フェードインまたはフェードアウトを指定する。例えば、図４に示すように、４番目のシーンにフェードイン及びアウトを指定し、８番目のシーンにフェードインのみが指定されると、システム制御部１２０は操作部１１９からの指定を認識して、映像フェード制御部１３０及び音声フェード制御部１４０を制御する。そして、映像フェード制御部１３０及び音声フェード制御部１４０は、それぞれ指定された４番目及び８番目のシーンにフェード機能を設定する。つまり、図３のように、対象とするＰｌａｙＩｔｅｍ４及び８に対応する管理情報のＸビットが設定される。このように設定された管理情報は、ＰｌａｙＩｔｅｍ内の未使用領域に保管され、管理メモリ１１８に記憶される。
【００３６】
次に、分け撮り機能の設定について説明する。
図１には、分け撮り機能を設定するための制御部が図示されていないが、例えば映像フェード制御部１３０及び音声フェード制御部１４０をそれぞれ、映像分け撮り制御部１３０´、音声分け撮り機能１４０´と読み替え、それらの制御部が分け撮り機能の設定を制御するとする。
【００３７】
さて、フェード機能の指定と同様にして、操作者は操作部１１９を操作してサムネール画面を表示部１１６に表示する。そこで、映像のシーンを指定し、分け撮りを指定する。分け撮り機能として、「１１」旅行、「１０」子供の学校行事、「０１」ピアノ教室、「００」家族、の４種類のカテゴリが予め定められているとすると、操作者はその４種類のカテゴリの中から１つを選んで、シーン毎に指定していく。
【００３８】
例えば、図４に示される１２個全てのシーンに対して「旅行」を選択すると、システム制御部１２０は操作部１１９からのその指定を認識して、映像分け撮り制御部１３０´及び音声分け撮り制御部１４０´を制御する。すると、これらの制御部１３０´、１４０´は、全てのシーンに対して、「旅行」の分け撮り機能、即ち管理情報Ｙビットに「１１」を設定する。
【００３９】
なお、本発明の変形例によれば、特殊再生機能は上記したフェード機能や分け撮り機能に限定されない。例えば、表示される映像の画面の上下方向から画面が中央部に対してクローズ及びオープンするワイプイン／ワイプアウト機能を実現する場合も、上記した管理情報を用いて同様に設定することができるであろう。
【図面の簡単な説明】
【００４０】
【図１】本発明の一実施例におけるＤＢカメラの構成を示すブロック図。
【図２】ＢＤＭＶフォーマットのサブセットのデータ構造を示す図。
【図３】ＰｌａｙＬｉｓｔの構成例を示す図。
【図４】ＢＤカメラのサムネール画面の例を示す図。
【図５】ＢＤカメラの特殊再生機能の管理情報の構成例を示す図。
【符号の説明】
【００４１】
１０１：光学レンズ、１０２：ＣＣＤセンサ、１０３：Ａ／Ｄ変換器、１０４：信号処理部、１０５：映像圧縮伸張部、１０６：マイク、１０７：スピーカ、１０８：アンプ、１０９：Ａ／Ｄ変換器（Ｄ／Ａ変換器）、１１０：音声圧縮伸張部、１１１：多重化／ウ分離部、１１２：メモリ、１１３：インターフェース部、１１４：記録媒体、１１５：媒体Ｒ／Ｗ制御部、１１６：表示部、１１７：フォーマット制御部、１１８：管理メモリ、１１９：操作部、１２０：システム制御部、１３０：映像フェード制御部、１４０：音声フェード制御部。
【図１】
2008028440.tif 000003
【図２】
2008028440.tif 000004
【図３】
2008028440.tif 000005
【図４】
2008028440.tif 000006
【図５】
2008028440.tif 000007